(57)【要約】【解決手段】  固定窓（Ｍ）を一つ有し、固定窓（Ｍ）をメスとして、便座クッション固定根本（Ｎ１）をオスとして、メスをオスに嵌め込むことにより、便座裏面に強固に固定する機能を具備し、便座の外側に延伸したレバー部を操作することにより、簡便に便座の昇降を可能とする機能を具備する便座昇降レバーであって、前記固定窓のパラメーターである、Ｌ（固定用窓の長さ）、Ｒ（固定用窓両端の穿孔半径）、Ｗ（便座昇降レバーの幅）、Ｄ（便座昇降レバーの厚み）、及び、Ｎ（便座昇降レバーの全長）が、４５ミリメートル≦Ｌ≦５５ミリメートル、７ミリメートル≦Ｒ≦１４ミリメートル、２Ｒ＜Ｗ≦５０ミリメートル、１ミリメートル≦Ｄ≦４ミリメートル、及び、５０ミリメートル≦Ｎ≦２００ミリメートルであることを特徴とする便座昇降レバー。【効果】  便座昇降レバーを使用することにより、便座の昇降操作を衛生的かつ簡便にすることができる。【選択図】  図５
2010183937.tif 000002
【特許請求の範囲】
【請求項１】
固定窓（Ｍ）を一つ有し、固定窓（Ｍ）をメスとして、便座クッション固定根本（Ｎ１）をオスとして、メスをオスに嵌め込むことにより、便座裏面に強固に固定する機能を具備し、便座の外側に延伸したレバー部を操作することにより、簡便に便座の昇降を可能とする機能を具備する便座昇降レバーであって、
前記固定窓のパラメーターである、
Ｌ（固定用窓の長さ）、
Ｒ（固定用窓両端の穿孔半径）、
Ｗ（便座昇降レバーの幅）、
Ｄ（便座昇降レバーの厚み）、及び、
Ｎ（便座昇降レバーの全長）が、
４５ミリメートル≦Ｌ≦５５ミリメートル、
７ミリメートル≦Ｒ≦１４ミリメートル、
２Ｒ＜Ｗ≦５０ミリメートル、
１ミリメートル≦Ｄ≦４ミリメートル、及び、
５０ミリメートル≦Ｎ≦２００ミリメートル
であることを特徴とする便座昇降レバー。
【請求項２】
固定窓（Ｍ）を一つ有し、固定窓（Ｍ）をメスとして、便座クッション固定根本（Ｎ１）をオスとして、メスをオスに嵌め込むことにより、便座裏面に強固に固定する機能を具備するレバー部分、及び、
便座クッション固定根本（Ｎ１）、及び／又は、便座クッション凸部（Ｎ２）に嵌め込むことによりレバー部分の脱落を防止する機能を具備する弾性体Ｏリングの脱落防止リング部分
を含んで構成される便座昇降レバーであって、
便座の外側に延伸したレバー部を操作することにより、簡便に便座の昇降を可能とする機能を具備する便座昇降レバーであって、
前記固定窓のパラメーターである、
Ｌ（固定用窓の長さ）、
Ｒ（固定用窓両端の穿孔半径）、
Ｗ（便座昇降レバーの幅）、
Ｄ（便座昇降レバーの厚み）、及び、
Ｎ（便座昇降レバーの全長）が、
４５ミリメートル≦Ｌ≦５５ミリメートル、
７ミリメートル≦Ｒ≦１４ミリメートル、
２Ｒ＜Ｗ≦５０ミリメートル、
１ミリメートル≦Ｄ≦４ミリメートル、及び、
５０ミリメートル≦Ｎ≦２００ミリメートル
であることを特徴とする便座昇降レバー。
【請求項３】
固定窓（Ｍ）において、便座クッション固定根本（Ｎ１）と接触する部分が弾性体であることを特徴とする、請求項１又は２に記載した便座昇降レバー。
【請求項４】
弾性体が、エラストマーであることを特徴とする請求項３に記載した便座昇降レバー。
【請求項５】
弾性体Ｏリングが、エラストマー製Ｏリングであることを特徴とする請求項２乃至４のいずれかに記載した便座昇降レバー。
【発明の詳細な説明】
【技術分野】
【０００１】
本発明は、便座の裏面に取り付けることにより、便座の昇降操作を衛生的かつ簡便にすることができる便座昇降レバーに関する。
【背景技術】
【０００２】
従来の技術において、便座の昇降操作を衛生的かつ簡便にするための便座昇降レバーは、足踏み式等、機構が複雑であったり、取り付け方法が煩雑なものしかなかった。
【０００３】
従って、従来の技術においては、便座の昇降操作を衛生的かつ簡便にすることができる便座昇降レバーが存在しないのが現状である。
【０００４】
【特許文献１】特開２００１−０６１７０７号
【特許文献２】特開２０００−１７５８４５号
【特許文献３】特開２００３−２９９５９７号
【特許文献４】特開２００３−１６６２７８号
【発明の開示】
【発明が解決しようとする課題】
【０００５】
本出願に係る発明が解決しようとする課題は、便座の昇降操作を衛生的かつ簡便にすることができる便座昇降レバーを提供することである。
【課題を解決するための手段】
【０００６】
本出願に係る発明における課題を解決するための手段は、以下に記述する「第１発明」及び「第２発明」のとおりである。
【０００７】
［請求項１］
固定窓（Ｍ）を一つ有し、固定窓（Ｍ）をメスとして、便座クッション固定根本（Ｎ１）をオスとして、メスをオスに嵌め込むことにより、便座裏面に強固に固定する機能を具備し、便座の外側に延伸したレバー部を操作することにより、簡便に便座の昇降を可能とする機能を具備する便座昇降レバーであって、
前記固定窓のパラメーターである、
Ｌ（固定用窓の長さ）、
Ｒ（固定用窓両端の穿孔半径）、
Ｗ（便座昇降レバーの幅）、
Ｄ（便座昇降レバーの厚み）、及び、
Ｎ（便座昇降レバーの全長）が、
４５ミリメートル≦Ｌ≦５５ミリメートル、
７ミリメートル≦Ｒ≦１４ミリメートル、
２Ｒ＜Ｗ≦５０ミリメートル、
１ミリメートル≦Ｄ≦４ミリメートル、及び、
５０ミリメートル≦Ｎ≦２００ミリメートル
であることを特徴とする便座昇降レバー。
【０００８】
［請求項２］
固定窓（Ｍ）を一つ有し、固定窓（Ｍ）をメスとして、便座クッション固定根本（Ｎ１）をオスとして、メスをオスに嵌め込むことにより、便座裏面に強固に固定する機能を具備するレバー部分、及び、
便座クッション固定根本（Ｎ１）、及び／又は、便座クッション凸部（Ｎ２）に嵌め込むことによりレバー部分の脱落を防止する機能を具備する弾性体Ｏリングの脱落防止リング部分
を含んで構成される便座昇降レバーであって、
便座の外側に延伸したレバー部を操作することにより、簡便に便座の昇降を可能とする機能を具備する便座昇降レバーであって、
前記固定窓のパラメーターである、
Ｌ（固定用窓の長さ）、
Ｒ（固定用窓両端の穿孔半径）、
Ｗ（便座昇降レバーの幅）、
Ｄ（便座昇降レバーの厚み）、及び、
Ｎ（便座昇降レバーの全長）が、
４５ミリメートル≦Ｌ≦５５ミリメートル、
７ミリメートル≦Ｒ≦１４ミリメートル、
２Ｒ＜Ｗ≦５０ミリメートル、
１ミリメートル≦Ｄ≦４ミリメートル、及び、
５０ミリメートル≦Ｎ≦２００ミリメートル
であることを特徴とする便座昇降レバー。
【０００９】
［請求項３］
固定窓（Ｍ）において、便座クッション固定根本（Ｎ１）と接触する部分が弾性体であることを特徴とする、請求項１又は２に記載した便座昇降レバー。
【００１０】
［請求項４］
弾性体が、エラストマーであることを特徴とする請求項３に記載した便座昇降レバー。
【００１１】
［請求項５］
弾性体Ｏリングが、エラストマー製Ｏリングであることを特徴とする請求項２乃至４のいずれかに記載した便座昇降レバー。
【００１２】
［用語］
本出願に係る「特許請求の範囲」、「明細書」、及び、「図面」において用いる「便座クッション」、「便座クッション固定用孔」、「固定窓（Ｍ）」、「便座クッション固定根本（Ｎ１）」、及び、「便座クッション凸部（Ｎ２）」なる用語の概念について、図１〜図４に図解した。
【００１３】
［レバー部分］
本願発明に係る「便座昇降レバー」とは、図５、図６（Ａ）、及び、図７（Ａ）に示すように、固定窓（Ｍ）を一つ有し、固定窓（Ｍ）をメスとして、便座クッション固定根本（Ｎ１）をオスとして、メスをオスに嵌め込むことにより、便座裏面に強固に固定する機能を具備する部分である。
【００１４】
［脱落防止リング部分］
本願発明に係る「脱落防止リング部分」とは、図６（Ｂ）、及び、図７（Ｂ）に示すように、便座クッション固定根本（Ｎ１）、及び／又は、便座クッション凸部（Ｎ２）に嵌め込むことによりレバー部分の脱落を防止する機能を具備する弾性体Ｏリングの部分をいう。
【発明の効果】
【００１５】
本出願に係る便座昇降レバーを使用することにより、便座の昇降操作を衛生的かつ簡便にすることができる。
【発明を実施するための最良の形態】
【００１６】
本出願に係る発明における最良の形態を、実施例１及び実施例２に示した。
【実施例１】
【００１７】
本出願に係る発明における好ましい態様のうちの一つ（脱落防止リング部分がないタイプ）を図６（Ａ）、及び、図７（Ａ）に図解した。
【実施例２】
【００１８】
本出願に係る発明における好ましい態様のうちの一つ（脱落防止リング部分があるタイプ）を図６（Ｂ）、及び、図７（Ｂ）に図解した。
【００１９】
実施例１に示した好ましい態様（脱落防止リング部分がないタイプ）の取り付け手順を、図８〜図９に図解した。
【００２０】
実施例２に示した好ましい態様（脱落防止リング部分があるタイプ）の取り付け手順を、図８〜図１０に図解した。
【００２１】
実施例２に示した好ましい態様（脱落防止リング部分があるタイプ）の使用状態を、図１１に図解した。
【００２２】
実施例２に示した好ましい態様（脱落防止リング部分があるタイプ）の使用手順を、図１２に図解した。
【００２３】
本願発明に係る便座昇降レバーの全長（Ｎ）の具体例を、図１３に図解した。
【００２４】
本願発明に係る便座昇降レバーのデザインのバリエーション具体例を、図１４〜１５に図解した。
【図面の簡単な説明】
【００２５】
【図１】便座側の便座クッション固定孔に固定された状態の便座クッションの外観。
【図２】便座クッション固定用孔、便座クッション、固定窓（Ｍ）、便座クッション固定根本（Ｎ１）、及び、便座クッション凸部（Ｎ２）の外観。
【図３】便座クッション及び便座クッション固定用孔周囲の部材の名称(側面断面図)。
【図４】便座クッションの側面図、便座クッションと脱落防止リングの斜視図。
【図５】本願発明に係る便座昇降レバーを規定するパラメーター。
【図６】本願発明における脱落防止リングの取付。(Ａ)便座昇降レバー装着／脱落防止リング未装着の状態の側面断面図。(Ｂ)便座昇降レバー装着／脱落防止リング装着の状態の側面断面図。
【図７】本願発明における脱落防止リングの取付。(Ａ)便座昇降レバー装着／脱落防止リング未装着の状態(Ｂ)便座昇降レバー装着／脱落防止リング装着の状態
【図８】［取付手順０］便座昇降レバーを便座クッションに取り付けるための部材。［取付手順１］  便座クッションの凸部に、便座昇降レバーの固定用窓を嵌め込む。実施例１に示した好ましい態様（固定用窓ひとつタイプ）の取り付け手順。
【図９】［取付手順２］便座昇降レバーの固定用窓を、便座クッションの凸部に嵌入し、さらに、便座クッションを取り付けた根本である、便座クッション固定根本に、しっかりと嵌め込むことにより、便座昇降レバーをしっかりと固定する。［取付手順３］  便座昇降レバーの固定用窓を、便座クッション固定根本にしっかりと嵌め込んで、固定を完了した状態である。
【図１０】［取付手順４］便座昇降レバーを便座クッション固定根本に嵌め込んで固定した後に、脱落防止リング（この態様ではゴム性リング）を、便座クッション固定根本と便座クッション凸部の接合部分を周回するように嵌め込む。［取付手順５］便座昇降レバーの固定用窓を、便座クッション固定根本にしっかりと嵌め込んで、固定を完了した後に、便座クッション固定根本と便座クッション凸部の接合部分を周回するように、脱落防止リングを嵌め込んだ状態である。
【図１１】［使用状態１］［昇状態(上げた状態)］便座の裏側にしっかりと固定した便座昇降レバーを用いて、便座を上げた状態。［使用状態２］［降状態(降ろした状態)］便座の裏側にしっかりと固定した便座昇降レバーを用いて、便座を下げた状態。
【図１２】［使用手順１］  降ろした状態の便座に取り付けられた便座昇降レバーを持つ。［使用手順２］  便座に取り付けられた便座昇降レバーを持ち上げることによって、便座を上げる。［使用手順３］  便座に取り付けられた便座昇降レバーを持ち上げることによって、完全に便座を上げた状態にする。
【図１３】便座昇降レバーの全長（Ｎ）の具体例。
【図１４】便座昇降レバーのデザインのバリエーション具体例。
【図１５】便座昇降レバーのデザインのバリエーション具体例。
【符号の説明】
【００２６】
Ｌ；固定用窓の長さ、又は、二つの固定用窓の両端の距離
Ｒ；固定用窓両端の穿孔半径
Ｗ：便座昇降レバーの幅
Ｄ；便座昇降レバーの厚み
Ｎ；便座昇降レバーの全長
Ｍ；固定窓
Ｎ１；便座クッション固定根本
Ｎ２；便座クッション凸部
【図１】
2010183937.tif 000003
【図２】
2010183937.tif 000004
【図３】
2010183937.tif 000005
【図４】
2010183937.tif 000006
【図５】
2010183937.tif 000007
【図６】
2010183937.tif 000008
【図７】
2010183937.tif 000009
【図８】
2010183937.tif 000010
【図９】
2010183937.tif 000011
【図１０】
2010183937.tif 000012
【図１１】
2010183937.tif 000013
【図１２】
2010183937.tif 000014
【図１３】
2010183937.tif 000015
【図１４】
2010183937.tif 000016
【図１５】
2010183937.tif 000017
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
固定窓（Ｍ）を一つ有し、固定窓（Ｍ）をメスとして、便座クッション固定根本（Ｎ１）をオスとして、メスをオスに嵌め込むことにより、便座裏面に強固に固定する機能を具備するレバー部分、及び、
便座クッション固定根本（Ｎ１）、及び／又は、便座クッション凸部（Ｎ２）に嵌め込むことによりレバー部分の脱落を防止する機能を具備する弾性体Ｏリングの脱落防止リング部分
を含んで構成される便座昇降レバーであって、
便座の外側に延伸したレバー部を操作することにより、簡便に便座の昇降を可能とする機能を具備する便座昇降レバーであって、
前記固定窓のパラメーターである、
Ｌ（固定用窓の長さ）、
Ｒ（固定用窓両端の穿孔半径）、
Ｗ（便座昇降レバーの幅）、
Ｄ（便座昇降レバーの厚み）、及び、
Ｎ（便座昇降レバーの全長）が、
４５ミリメートル≦Ｌ≦５５ミリメートル、
７ミリメートル≦Ｒ≦１４ミリメートル、
２Ｒ＜Ｗ≦５０ミリメートル、
１ミリメートル≦Ｄ≦４ミリメートル、及び、
５０ミリメートル≦Ｎ≦２００ミリメートル
であることを特徴とする便座昇降レバー。
【請求項２】
固定窓（Ｍ）において、便座クッション固定根本（Ｎ１）と接触する部分が弾性体であることを特徴とする、請求項１に記載した便座昇降レバー。
【請求項３】
弾性体が、エラストマーであることを特徴とする請求項２に記載した便座昇降レバー。
【請求項４】
弾性体Ｏリングが、エラストマー製Ｏリングであることを特徴とする請求項１乃至３のいずれかに記載した便座昇降レバー。
【手続補正２】
【補正対象書類名】明細書
【補正対象項目名】０００７
【補正方法】変更
【補正の内容】
【０００７】
［出願当初の請求項１］
固定窓（Ｍ）を一つ有し、固定窓（Ｍ）をメスとして、便座クッション固定根本（Ｎ１）をオスとして、メスをオスに嵌め込むことにより、便座裏面に強固に固定する機能を具備し、便座の外側に延伸したレバー部を操作することにより、簡便に便座の昇降を可能とする機能を具備する便座昇降レバーであって、
前記固定窓のパラメーターである、
Ｌ（固定用窓の長さ）、
Ｒ（固定用窓両端の穿孔半径）、
Ｗ（便座昇降レバーの幅）、
Ｄ（便座昇降レバーの厚み）、及び、
Ｎ（便座昇降レバーの全長）が、
４５ミリメートル≦Ｌ≦５５ミリメートル、
７ミリメートル≦Ｒ≦１４ミリメートル、
２Ｒ＜Ｗ≦５０ミリメートル、
１ミリメートル≦Ｄ≦４ミリメートル、及び、
５０ミリメートル≦Ｎ≦２００ミリメートル
であることを特徴とする便座昇降レバー。
【手続補正３】
【補正対象書類名】明細書
【補正対象項目名】０００８
【補正方法】変更
【補正の内容】
【０００８】
［請求項１］
固定窓（Ｍ）を一つ有し、固定窓（Ｍ）をメスとして、便座クッション固定根本（Ｎ１）をオスとして、メスをオスに嵌め込むことにより、便座裏面に強固に固定する機能を具備するレバー部分、及び、
便座クッション固定根本（Ｎ１）、及び／又は、便座クッション凸部（Ｎ２）に嵌め込むことによりレバー部分の脱落を防止する機能を具備する弾性体Ｏリングの脱落防止リング部分
を含んで構成される便座昇降レバーであって、
便座の外側に延伸したレバー部を操作することにより、簡便に便座の昇降を可能とする機能を具備する便座昇降レバーであって、
前記固定窓のパラメーターである、
Ｌ（固定用窓の長さ）、
Ｒ（固定用窓両端の穿孔半径）、
Ｗ（便座昇降レバーの幅）、
Ｄ（便座昇降レバーの厚み）、及び、
Ｎ（便座昇降レバーの全長）が、
４５ミリメートル≦Ｌ≦５５ミリメートル、
７ミリメートル≦Ｒ≦１４ミリメートル、
２Ｒ＜Ｗ≦５０ミリメートル、
１ミリメートル≦Ｄ≦４ミリメートル、及び、
５０ミリメートル≦Ｎ≦２００ミリメートル
であることを特徴とする便座昇降レバー。
【手続補正４】
【補正対象書類名】明細書
【補正対象項目名】０００９
【補正方法】変更
【補正の内容】
【０００９】
［請求項２］
固定窓（Ｍ）において、便座クッション固定根本（Ｎ１）と接触する部分が弾性体であることを特徴とする、請求項１に記載した便座昇降レバー。
【手続補正５】
【補正対象書類名】明細書
【補正対象項目名】００１０
【補正方法】変更
【補正の内容】
【００１０】
［請求項３］
弾性体が、エラストマーであることを特徴とする請求項２に記載した便座昇降レバー。
【手続補正６】
【補正対象書類名】明細書
【補正対象項目名】００１１
【補正方法】変更
【補正の内容】
【００１１】
［請求項４］
弾性体Ｏリングが、エラストマー製Ｏリングであることを特徴とする請求項１乃至３のいずれかに記載した便座昇降レバー。